(57)【要約】【課題】設置作業を容易にかつ迅速に行えるようにし、これにより設置コストの低減及び設置所要時間の短縮を可能とするホームギャップフィラー装置を提供する。【解決手段】増幅器１３の出力信号を電源ライン６４に重畳するための信号重畳部６３を設けるようにし、再送信アンテナに電源ラインからの信号から電源成分を除去するフィルタ部を設けるようにして、増幅器１３から再送信アンテナ１４への再送信号の信号ラインを、一般の建造物に通常備えられている電源ライン６４及び電源コンセント６１−１〜６１−３により共用するようにしている。【選択図】      図６
2006333231.tif 000002
【特許請求の範囲】
【請求項１】
地上デジタル放送波を、放送受信機に設置される既知の屋内用受信アンテナで受信させるために使用され、屋外に設置される受信部により前記地上デジタル放送波を受信し、増幅部にてその受信信号を増幅して同一周波数の再送信号を生成し、この再送信号を送信部により前記屋内用受信アンテナへ向けて再送信するホームギャップフィラー装置であって、
前記屋内の壁または天井に設けられ、前記増幅部により出力された再送信号を取り込み、接続される前記送信部に対し前記再送信号を供給する信号供給部と、
前記送信部に設けられ、前記信号供給部に対し着脱自在に接続するための接続部とを具備したことを特徴とするホームギャップフィラー装置。
【請求項２】
前記信号供給部は、複数箇所に設けられ、
前記増幅部により出力された再送信号を前記複数の信号供給部に分配する信号分配部をさらに備えることを特徴とする請求項１記載のホームギャップフィラー装置。
【請求項３】
前記信号供給部は、屋内に配置される電子機器に対し動作に必要な電源を供給するための既知の電源コンセントに設けられることを特徴とする請求項１記載のホームギャップフィラー装置。
【請求項４】
前記接続部は、前記信号供給部に対する差込型のピン形状から成ることを特徴とする請求項１記載のホームギャップフィラー装置。
【請求項５】
地上デジタル放送波を、放送受信機に設置される既知の屋内用受信アンテナで受信させるために使用され、屋外に設置される受信部により前記地上デジタル放送波を受信し、増幅部にてその受信信号を増幅して同一周波数の再送信号を生成し、この再送信号を送信部により前記屋内用受信アンテナへ向けて再送信するホームギャップフィラー装置であって、
前記増幅部により出力された再送信号を、前記屋内の壁または天井に設けられる既知の電源コンセントに対し電源を供給するための電源ラインに送出する信号伝送部と、
前記送信部に設けられ、前記信号供給部に対し着脱自在に接続するための接続部と、
この接続部により得られる前記電源ラインからの信号から電源成分を除去して前記送信部に供給するフィルタ部とを具備したことを特徴とするホームギャップフィラー装置。
【請求項６】
前記増幅部により出力された再送信号を放送帯域の第１の周波数帯から該第１の周波数帯に比して低い第２の周波数帯に変換して前記信号伝送部に供給する第１の周波数変換手段と、
前記フィルタ部の出力信号を前記第１の周波数帯に変換して前記送信部に供給する第２の周波数変換手段とをさらに備えたことを特徴とする請求項５記載のホームギャップフィラー装置。
【請求項７】
地上デジタル放送波を、放送受信機に設置される既知の屋内用受信アンテナで受信させるために使用され、屋外に設置される受信部により前記地上デジタル放送波を受信し、増幅部にてその受信信号を増幅して同一周波数の再送信号を生成し、この再送信号を送信部により前記屋内用受信アンテナへ向けて再送信するホームギャップフィラー装置であって、
前記屋内の壁または天井に設けられ、前記受信部により出力された受信信号を取り込み、接続される前記増幅部に対し前記受信信号を供給する信号供給部と、
前記増幅部に設けられ、前記信号供給部に対し着脱自在に接続するための接続部とを具備したことを特徴とするホームギャップフィラー装置。
【発明の詳細な説明】
【技術分野】
【０００１】
この発明は、例えば屋内で地上デジタル放送波を中継するために用いられる地上デジタル放送のホームギャップフィラー装置に関する。
【背景技術】
【０００２】
次世代のデジタル放送システムとして、現在の地上波によるテレビジョン帯域を利用した地上デジタル放送の開発が進められている。この地上デジタル放送システムでは、放送サービスエリアの拡大及び難視聴地域の解消を目的として、ギャップフィラー対策の実施が検討されている。  
このギャップフィラー対策では、放送波が届かないエリアごとにギャップフィラーと呼ばれる中継装置を設置するようにしている（例えば特許文献１及び特許文献２）。
【０００３】
ところで、上記地上デジタル放送システムでは、アナログ放送システムにもあるように、テレビジョン受信機の室内用受信アンテナでデジタル放送波を受信できるものも要望されている。このような放送システムにあっても、放送サービスエリア以外に屋内における難視聴地域の解消を目的としたギャップフィラー対策の実施も検討されることになる。  
そこで、屋内において、受信場所に制限を受けることなく地上デジタル放送波を既知の屋内用受信アンテナを備えた放送受信機に受信させるための地上デジタル放送のホームギャップフィラー装置が提案されている。
【０００４】
【特許文献１】特開２００２−１０１０３２号公報
【特許文献２】特開２００３−７８４９２号公報。
【発明の開示】
【発明が解決しようとする課題】
【０００５】
上記ホームギャップフィラー装置は、簡易な構成であるため、安価であるという利点がある。ところで、このホームギャップフィラー装置が普及してくると、屋内に簡単に設置できるようにしたものも求められることになる。しかしながら、現状では、アンテナの設置作業手順が複雑であるため、設置完了まで多くの手間と時間がかかると共に、設置コストがかかる。
【０００６】
また、ホームギャップフィラー装置の再送信アンテナが故障した場合に、ホームギャップフィラー装置全体を交換しなければならない。
【０００７】
そこで、この発明の目的は、設置作業を容易にかつ迅速に行えるようにし、これにより設置コストの低減及び設置所要時間の短縮を可能としたホームギャップフィラー装置を提供することにある。
【課題を解決するための手段】
【０００８】
この発明は、上記目的を達成するために、以下のように構成される。  
地上デジタル放送波を、放送受信機に設置される既知の屋内用受信アンテナで受信させるために使用され、屋外に設置される受信部により地上デジタル放送波を受信し、増幅部にてその受信信号を増幅して同一周波数の再送信号を生成し、この再送信号を送信部により屋内用受信アンテナへ向けて再送信するホームギャップフィラー装置であって、屋内の壁または天井に設けられ、増幅部により出力された再送信号を取り込み、接続される送信部に対し再送信号を供給する信号供給部と、送信部に設けられ、信号供給部に対し着脱自在に接続するための接続部とを備えるようにしたものである。
【０００９】
この構成によれば、屋内の天井または壁に対し天井裏または壁裏に配置された増幅部からの再送信号を取り込む信号供給部を設けるとともに、送信部に対し信号供給部に着脱自在に接続するための接続部を設けるようにしたので、屋内において、送信部を信号供給部に接続するだけでホームギャップフィラー装置を設置することができ、これによりホームギャップフィラー装置の設置を短時間の内にしかも少ない設置コストで行うことが可能となる。
【００１０】
信号供給部は、複数箇所に設けられ、増幅部により出力された再送信号を複数の信号供給部に分配する信号分配部をさらに備えることを特徴とする。  
この構成によれば、各部屋の天井または壁に信号供給部を設けると共に、天井裏または壁裏に、各信号供給部に対し増幅部により出力された再送信号を分配する信号分配部を設けるようにしたので、予め各部屋にそれぞれ再送信アンテナを設置しておく必要がなく、必要に応じて任意の場所に再送信アンテナを設置することができる。また、空きの信号供給部がある限り、再送信アンテナの増加に容易に対応することができ、これにより別途にホームギャップフィラー装置を用意する必要がない。
【００１１】
信号供給部は、屋内に配置される電子機器に対し動作に必要な電源を供給するための既知の電源コンセントに設けられることを特徴とし、接続部は、信号供給部に対する差込型のピン形状から成ることを特徴とする。これにより、再送信アンテナを簡単に取り付けることができる。
【００１２】
地上デジタル放送波を、放送受信機に設置される既知の屋内用受信アンテナで受信させるために使用され、屋外に設置される受信部により地上デジタル放送波を受信し、増幅部にてその受信信号を増幅して同一周波数の再送信号を生成し、この再送信号を送信部により屋内用受信アンテナへ向けて再送信するホームギャップフィラー装置であって、増幅部により出力された再送信号を、屋内の壁または天井に設けられる既知の電源コンセントに対し電源を供給するための電源ラインに送出する信号伝送部と、送信部に設けられ、信号供給部に対し着脱自在に接続するための接続部と、この接続部により得られる電源ラインからの信号から電源成分を除去して送信部に供給するフィルタ部とを備えるようにしたものである。
【００１３】
この構成によれば、増幅部から送信部への再送信号の信号ラインを、一般の建造物に通常備えられている電源ライン及び電源コンセントにより共用するようにしたので、再送信号専用の信号ラインを不要にすることができ、その分建造物内の配線構造を簡素化することができる。これにより、既存の電源コンセントを利用できるため、専用のコンセントを設ける必要がなく、工事費用を低減できる。また、空き電源コンセントがある限り、再送信アンテナの増加に容易に対応することができる。
【００１４】
増幅部により出力された再送信号を放送帯域の第１の周波数帯から該第１の周波数帯に比して低い第２の周波数帯に変換して信号伝送部に供給する第１の周波数変換手段と、フィルタ部の出力信号を第１の周波数帯に変換して送信部に供給する第２の周波数変換手段とをさらに備えたことを特徴とする。
【００１５】
この構成によれば、電源ラインを再送信号と通常の電源とにより共用する場合に、電源ラインにおける高周波領域の減衰が大きいことから、電源ラインに再送信号を重畳する前に、再送信号を高周波領域である第１の周波数帯から減衰の少ない第２の周波数帯に周波数変換し、送信部側で電源ライン及び電源コンセントを介して送られた第２の周波数帯の信号を第１の周波数帯に変換するようにしているので、増幅部から送信部への再送信号の転送を電源ラインによる影響を受けることなく確実に行うことができる。
【００１６】
地上デジタル放送波を、放送受信機に設置される既知の屋内用受信アンテナで受信させるために使用され、屋外に設置される受信部により地上デジタル放送波を受信し、増幅部にてその受信信号を増幅して同一周波数の再送信号を生成し、この再送信号を送信部により屋内用受信アンテナへ向けて再送信するホームギャップフィラー装置であって、屋内の壁または天井に設けられ、受信部により出力された受信信号を取り込み、接続される増幅部に対し受信信号を供給する信号供給部と、増幅部に設けられ、信号供給部に対し着脱自在に接続するための接続部とを備えるようにしたものである。  
この構成によれば、複数の再送信アンテナを動作させた時に生じる再送信レベルの低下を抑えることができる。
【発明の効果】
【００１７】
以上詳述したようにこの発明によれば、設置作業を容易にかつ迅速に行えるようにし、これにより設置コストの低減及び設置所要時間の短縮を可能としたホームギャップフィラー装置を提供することができる。
【発明を実施するための最良の形態】
【００１８】
以下、この発明の実施形態について図面を参照して詳細に説明する。  
図１は、この発明に係るホームギャップフィラー装置の構成を示すブロック図である。
図１において、送信所から到来する地上デジタル放送波は、屋外に取り付けられた受信アンテナ１１によって受信され、その受信信号がフィーダー１２を介して増幅器１３に供給される。増幅器１３は、入力された受信信号を所定の振幅レベルまで増幅し、この増幅した信号を再送信号として屋内の壁又は天井に設置される再送信アンテナ１４に出力する。すると、再送信アンテナ１４は、入力された再送信号を再送信波として屋内に放射する。  
そして、屋内に設置されたテレビジョン受像機２１では、既知の簡易受信アンテナ２２で再送信波を受信し、その放送コンテンツを再生表示する。
【００１９】
（第１の実施形態）  
この発明の第１の実施形態は、ホームギャップフィラー装置の再送信アンテナ１４に関する。  
図２は屋内の天井または壁に設けられる電源コンセントを示した図であり、図３は再送信アンテナ１４を横から見て示した図である。
【００２０】
符号３１は一般の建造物に設けられる電源コンセントで、表面には屋内に配置される電子機器に電源を供給するための差込口３２と、再送信アンテナ１４に対し増幅器１３からの出力信号を供給するための差込口３３とが設けられている。
【００２１】
これに対し、再送信アンテナ１４は、複数（図３では２つ）のアンテナエレメント４１ａ，４１ｂを備えた半波長ダイポールアンテナで、電源コンセント３１の差込口３３に差し込むことで増幅器１３からの出力信号をアンテナエレメント４１ａ，４１ｂに供給するための接続ピン４２が設けられている。
【００２２】
次に、上記構成において、建造物内に適用した場合を例にして、その動作を説明する。
まず、屋外に受信アンテナ１１が取り付けられ、天井裏または壁裏に増幅器１３が配置され、そこから屋内の電源コンセント３１へ信号ラインが敷設され、電源コンセント３１の差込口３３に再送信アンテナ１４の接続ピン４２が差し込まれる。これにより、屋内に所要の電界強度の再送信波が再送信アンテナ１４のアンテナエレメント４１ａ，４１ｂから照射されることになる。
【００２３】
以上のように上記第１の実施形態では、屋内の天井または壁に備え付けられた電源コンセント３１に天井裏または壁裏に配置された増幅器１３からの出力信号を取り込む差込口３３を設けるとともに、再送信アンテナ１４に対し電源コンセントの差込口３３に着脱自在に接続するための接続ピン４２を設けるようにしている。
【００２４】
従って、屋内において、再送信アンテナ１４を電源コンセント３１の差込口３３に差し込むだけでホームギャップフィラー装置の設置を完了することができ、これによりホームギャップフィラー装置の設置を短時間の内にしかも少ない設置コストで行うことができる。
【００２５】
（第２の実施形態）  
この発明の第２の実施形態は、増幅器１３と電源コンセント３１との間の接続構成に関する。
【００２６】
図４は、この発明の第２の実施形態におけるホームギャップフィラー装置の構成を示す概略構成図である。ここでは、屋内の各箇所または各部屋に複数（図４では３つ）の電源コンセント５１−１〜５１−３が備え付けられており、各電源コンセント５１−１〜５１−３には通常の差込口５２−１〜５２−３と、再送信アンテナ１４接続用の差込口５３−１〜５３−３とが設けられている。
【００２７】
さらに、天井裏または壁裏には、増幅器１３からの出力信号を電源コンセント５１−１〜５１−３の差込口５２−１〜５２−３にそれぞれ分配するための分配器１５が配置される。
【００２８】
次に、上記構成において、建造物内に適用した場合を例にして、その動作を説明する。
まず、屋外に受信アンテナ１１が取り付けられ、天井裏または壁裏に増幅器１３及び分配器１５が配置される。そして、分配器１５から各電源コンセント５１−１〜５１−３の差込口５３−１〜５３−３に信号ラインが敷設され、差込口５３−１〜５３−３にそれぞれの部屋で必要な再送信アンテナ１４が差し込まれる。
【００２９】
例えば、テレビジョン受像機２１をある部屋から隣の部屋に配置する場合、以前は、ホームギャップフィラー装置そのものの改修あるいは各部屋に予め再送信アンテナ１４を設置しておく必要があったが、本第２の実施形態の場合、配置元の電源コンセント５１−１の差込口５３−１に接続されている再送信アンテナ１４を取り外して、配置先の電源コンセント５１−２の差込口５３−２に差し込むだけでよく、ホームギャップフィラー装置本体に何ら手を加える必要がなく、また予め各部屋に再送信アンテナ１４を設置しておく必要がない。
【００３０】
以上のように上記第２の実施形態では、各部屋の天井または壁に備え付けられる電源コンセント５１−１〜５１−３に差込口５３−１〜５３−３を設けると共に、天井裏または壁裏に、各差込口５３−１〜５３−３に対し増幅器１３の出力信号を分配する分配器１５を設けるようにしている。
【００３１】
従って、予め各部屋にそれぞれ再送信アンテナ１４を設置しておく必要がなく、必要に応じて任意の場所に再送信アンテナ１４を設置することができる。また、空きの差込口５３−１〜５３−３がある限り、再送信アンテナ１４の増加に容易に対応することができ、これにより別途にホームギャップフィラー装置を用意する必要がない。
【００３２】
なお、上記第２の実施形態では、再送信アンテナ１４をアンテナエレメント４１ａ，４１ｂと接続ピン４２のみで構成する例について説明したが、上記増幅器１３を再送信アンテナ１４に内蔵する構成であってもよい。図５は、増幅器内蔵の再送信アンテナ１４を示す図である。なお、図５において、上記図３と同一部分には、同一符号を付して詳細な説明を省略する。
【００３３】
すなわち、アンテナエレメント４１ａ，４１ｂと接続ピン４２との間には、増幅器４３が介在される。  
この構成によれば、複数の再送信アンテナ１４を動作させた時に生じる再送信レベルの低下を抑えることができる。
【００３４】
（第３の実施形態）  
図６は、この発明の第３の実施形態における増幅器１３と電源コンセントとの接続構成を示す概略構成図であり、図７は再送信アンテナ１４を横から見て示した図である。
【００３５】
各部屋には、それぞれ電源コンセント６１−１〜６１−３が備え付けられており、これら電源コンセント６１−１〜６１−３には、通常の電子機器に対し電源を供給するための差込口６２−１〜６２−３のみが設けられている。
【００３６】
また、増幅器１３と電源コンセント６１−１〜６１−３との間には、信号重畳部６３が介在される。信号重畳部６３は、例えば絶縁用キャパシタから成り、増幅器１３の出力信号を各電源コンセント６１−１〜６１−３に電源を供給するための電源ライン６４に重畳するためのものである。また、電源ライン６４上の無線周波成分との重畳点の右側に、低周波数成分（電源成分）のみを通過させるチョークコイル６５が設けられている。このチョークコイル６５は、電源成分に重畳された無線周波成分が屋外に流出されることを防ぐためのものである。
【００３７】
さらに、再送信アンテナ１４には、電源コンセント６１−１〜６１−３の差込口６２−１〜６２−３に差し込むための接続ピン７１が設けられるとともに、この接続ピン７１とアンテナエレメント４１ａ，４１ｂとの間にフィルタ部７２が介在される。フィルタ部７２は、例えば絶縁用キャパシタから成り、電源ライン６４からの信号から電源成分（例えば５０Ｈｚ）を阻止し無線周波成分（例えば３００ＭＨｚ〜３ＧＨｚ）を通過させるいわゆる高域フィルタとして動作するものである。
【００３８】
次に、上記構成において、建造物内に適用した場合を例にして、その動作を説明する。
増幅器１３の出力信号は、信号重畳部６３に供給される。信号重畳部６３では、入力された信号を電源ライン６４に重畳して各電源コンセント６１−１〜６１−３に送る。例えば、電源コンセント６１−１の差込口６２−１に接続される再送信アンテナ１４では、電源ライン６４からの信号を接続ピン７１を介して取り込み、フィルタ部７２で無線周波成分のみを取り出してアンテナエレメント４１ａ，４１ｂに供給する。このようにすることで、電源とのアイソレーションを確保するようにしている。
【００３９】
このような構成において、テレビジョン受像機２１をある部屋から隣の部屋に配置する場合、以前は、ホームギャップフィラー装置そのものの改修や各電源コンセント６１−１〜６１−３への専用信号ラインの敷設工事が必要であったが、本第３の実施形態の場合、配置元の電源コンセント６１−１の差込口６２−１に接続されている再送信アンテナ１４を取り外して、配置先の電源コンセント６１−２の差込口６２−２に差し込むだけでよく、ホームギャップフィラー装置本体に何ら手を加える必要がなく、また各電源コンセント６１−１〜６１−３への専用信号ラインを敷設しておく必要がない。
【００４０】
以上のように上記第３の実施形態では、増幅器１３から再送信アンテナ１４への再送信号の信号ラインを、一般の建造物に通常備えられている電源ライン６４及び電源コンセント６１−１〜６１−３により共用するようにしている。
【００４１】
従って、再送信号専用の信号ラインを不要にすることができるので、その分建造物内の配線構造を簡素化することができ、既存の電源コンセントを利用できることにより、専用のコンセントを設ける必要がなく、工事費用を低減できる。また、空き電源コンセント６１−１〜６１−３がある限り、再送信アンテナ１４の増加に容易に対応することができる。
【００４２】
（第４の実施形態）  
図８は、この発明の第４の実施形態における増幅器１３と電源コンセントとの接続構成を示す概略構成図であり、図９は再送信アンテナ１４を横から見て示した図である。なお、図８及び図９において、上記図６及び図７と同一部分には同一符号を付して詳細な説明を省略する。
【００４３】
すなわち、増幅器１３と信号重畳部６３との間に、周波数変換器８１が介在されることになる。この周波数変換器８１は、増幅器１３の出力信号をＵＨＦ（Ultra High Frequency）帯からＶＨＦ（Very High Frequency）帯に周波数変換して信号重畳部６３に供給する。
また、再送信アンテナ１４において、アンテナエレメント４１ａ，４１ｂとフィルタ部７２との間に、周波数変換器９１が介在されることになる。この周波数変換器９１は、フィルタ部７２の出力信号をＶＨＦ帯からＵＨＦ帯に周波数変換してアンテナエレメント４１ａ，４１ｂに供給する。
【００４４】
次に、上記構成における動作について説明する。  
電源ライン６４を電源と無線周波数の信号とで共用する場合に、電源ライン６４における高周波領域の減衰が大きくなる。そこで、本第４の実施形態では、信号重畳部６３にて増幅器１３で増幅されたデジタル放送波の受信信号を電源ライン６４に重畳する前に、周波数変換器８１により受信信号を例えばＶＨＦ帯のようなより減衰が少ない周波数領域に変換し、再送信アンテナ１４側の周波数変換器９１により元のＵＨＦ帯に戻すようにしている。
【００４５】
以上のように上記第４の実施形態では、電源ライン６４をデジタル放送波の受信信号と通常の電源とにより共用する場合に、信号重畳部６３にて電源ライン６４に受信信号を重畳する前に、周波数変換器８１により受信信号をＵＨＦ帯から減衰の少ないＶＨＦ帯に周波数変換し、再送信アンテナ１４側の周波数変換器９１で電源ライン６４及び電源コンセント６１−１〜６１−３を介して送られたＶＨＦ帯の信号を元のＵＨＦ帯に変換するようにしている。
【００４６】
従って、電源ライン６４におけるデジタル放送波の受信信号の転送を電源成分による影響を受けることなく確実に行うことができる。
（第５の実施形態）  
図１０は、この発明の第５の実施形態における電源ライン６４と電源コンセントとの接続構成を示す回路図であり、図１１は再送信アンテナ１４を横から見て示した回路図である。なお、図１０及び図１１において、上記図５及び図６と同一部分には同一符号を付して詳細な説明を省略する。
【００４７】
電源ライン６４からの信号は、コンデンサ１００ａ，１００ｂに蓄積されるとともに、チョークコイル１０１ａ，１０１ｂに供給される。すなわち、電源ライン６４からの信号のうち電源成分（例えば５０Ｈｚ）は、コンデンサ１００ａ，１００ｂにより阻止されるとともに、チョークコイル１０１ａ，１０１ｂ，１０２ａ，１０２ｂを通過する。また、電源ライン６４からの信号のうち無線周波成分（例えば３００ＭＨｚ〜３ＧＨｚ）は、チョークコイル１０１ａ，１０１ｂにより阻止されるとともに、コンデンサ１００ａ，１００ｂを通過して分配器１０３に供給される。
【００４８】
分配器１０３は、入力信号を２つに分配するもので、一方の信号を高周波出力端子１０４ａ，１０４ｂに出力し、他方の信号を信号重畳部１０５に出力する。信号重畳部１０５は、例えばコンデンサからなり、分配器１０３の出力をチョークコイル１０２ａ，１０２ｂを通過した電源成分に重畳するためのものである。また、チョークコイル１０１ａ，１０１ｂを通過した電源成分の信号は、ＡＣ出力端子１０６ａ，１０６ｂから取り出される。
【００４９】
上記高周波出力端子１０４ａ，１０４ｂには、再送信アンテナ１４の接続ピン４２が接続される。再送信アンテナ１４の増幅器４３には、電源装置４４からの電源が供給される。この電源装置４４の接続ピン４５は、上記ＡＣ出力端子１０６ａ，１０６ｂに接続される。
【００５０】
以上のように上記第５の実施形態であれば、増幅器１３から再送信アンテナ１４への再送信号の信号ラインを、一般の建造物に通常備えられている電源ライン６４により共用できるとともに、再送信アンテナ１４の増幅器４３により複数の再送信アンテナ１４を動作させた時に生じる再送信レベルの低下を抑えることができ、また電源装置４４により増幅器４３に対し安定した電源を供給することができ、再送信アンテナ１４の動作を安定させることができる。
【００５１】
（第６の実施形態）  
図１２は、この発明の第６の実施形態における電源ライン６４と電源コンセントとの接続構成を示す回路図であり、図１３は再送信アンテナ１４を横から見て示した回路図である。なお、図１２及び図１３において、上記図１０及び図１１と同一部分には同一符号を付して詳細な説明を省略する。
【００５２】
上記分配器１０３から出力された信号は、信号重畳部１０７により電源成分の信号に重畳され、出力端子１０８ａ，１０８ｂから取り出される。この出力端子１０８ａ，１０８ｂには、再送信アンテナ１４の接続ピン４６が接続される。
【００５３】
出力端子１０８ａ，１０８ｂからの信号のうち電源成分の信号は、コンデンサ４７ａ，４７ｂによって阻止され、チョークコイル４８ａ，４８ｂを通過して電源装置４４に供給される。また、出力端子１０８ａ，１０８ｂからの信号のうち無線周波成分の信号は、チョークコイル４８ａ，４８ｂによって阻止され、コンデンサ４７ａ，４７ｂを介して増幅器４３に供給される。
【００５４】
以上のように上記第６の実施形態であれば、上記第５の実施形態と同様の作用効果が得られるとともに、上記第５の実施形態に比して接続ピンの数を減らすことができる。
【００５５】
（その他の実施形態）  
なお、この発明は上記各実施形態に限定されるものではない。各実施形態では、再送信アンテナとして半波長ダイポール形式のものを用いた例を示したが、他のアンテナ形式を使用してもよい。
【００５６】
また、上記第１及び第２の実施形態では、電源コンセントに再送信アンテナ接続用の差込口を設ける例について説明したが、電源コンセント以外の箇所に差込口を設けるようにしてもよい。
【００５７】
さらに、上記各実施形態では、再送信アンテナに設けられる接続ピンを差込口に差し込む構成例について説明したが、ピン形状以外のものであってもよい。
【００５８】
その他、ホームギャップフィラー装置の構成、再送信アンテナの種類及び構成、再送信アンテナの接続構成等についても、この発明の要旨を逸脱しない範囲で種々変形して実施できる。
【図面の簡単な説明】
【００５９】
【図１】この発明に係るホームギャップフィラー装置の構成を示すブロック図。
【図２】この発明の第１の実施形態における屋内の天井または壁に設けられる電源コンセントを示した図。
【図３】この発明の第１の実施形態における再送信アンテナを横から見て示した図。
【図４】この発明の第２の実施形態におけるホームギャップフィラー装置の構成を示す概略構成図。
【図５】この発明の第２の実施形態における再送信アンテナを横から見て示した図。
【図６】この発明の第３の実施形態における増幅器と電源コンセントとの接続構成を示す概略構成図。
【図７】この発明の第３の実施形態における再送信アンテナを横から見て示した図。
【図８】この発明の第４の実施形態における増幅器と電源コンセントとの接続構成を示す概略構成図。
【図９】この発明の第４の実施形態における再送信アンテナを横から見て示した図。
【図１０】この発明の第５の実施形態における電源ラインと電源コンセントとの接続構成を示す回路図。
【図１１】同第５の実施形態における再送信アンテナを横から見て示した図。
【図１２】この発明の第６の実施形態における電源ラインと電源コンセントとの接続構成を示す回路図。
【図１３】同第６の実施形態における再送信アンテナを横から見て示した図。
【符号の説明】
【００６０】
１１…受信アンテナ、１２…フィーダー、１３，４３…増幅器、１４…再送信アンテナ、１５…分配器、２１…テレビジョン受像機、２２…簡易受信アンテナ、３１，５１−１〜５１−３，６１−１〜６１−３…電源コンセント、３２,３３，５２−１〜５２−３，５３−１〜５３−３，６２−１〜６２−３…差込口、４１ａ，４１ｂ…アンテナエレメント、４２，４５，４６，７１…接続ピン、４４…電源装置、６３，１０５，１０７…信号重畳部、７２…フィルタ部、８１，９１…周波数変換器、１００ａ，１００ｂ…コンデンサ、１０１ａ，１０１ｂ，１０２ａ，１０２ｂ…チョークコイル、１０３…分配器、１０４ａ，１０４ｂ…高周波出力端子、１０６ａ，１０６ｂ…ＡＣ出力端子。
【図１】
2006333231.tif 000003
【図２】
2006333231.tif 000004
【図３】
2006333231.tif 000005
【図４】
2006333231.tif 000006
【図５】
2006333231.tif 000007
【図６】
2006333231.tif 000008
【図７】
2006333231.tif 000009
【図８】
2006333231.tif 000010
【図９】
2006333231.tif 000011
【図１０】
2006333231.tif 000012
【図１１】
2006333231.tif 000013
【図１２】
2006333231.tif 000014
【図１３】
2006333231.tif 000015